(57)【特許請求の範囲】
【請求項１】
家具の摺動扉（２０、３０）の支持機構を隠すための、カバー（５０）であって、前記摺動扉（２０、３０）の移動および支持機構を視野から隠すために戸棚（Ａ）の収納部の上縁に重なるカバー（５０）において、前記カバー（５０）が前記戸棚（Ａ）の有効な収納部の幅とほぼ同じ長さを有し、前記カバー（５０）を下げ位置に配置することにより、前記摺動扉（２０、３０）が案内レール（４０）の軌道（４１、４２）に取り付けられるようにすることができ、持上げ位置では、前記摺動扉（２０、３０）の移動および支持機構を視野から隠すようにすることを特徴とするカバー。
【請求項２】
前記カバー（５０）が、上縁（５１）を備え、前記摺動扉（２０、３０）を、前記案内レール（４０）の前記軌道（４１、４２）に取付けられるようにするために、前記案内レール（４０）の前面（４３）の上縁部に前記カバー（５０）の上縁部（５１）を配置したことを特徴とする、請求項１に記載のカバー。
【請求項３】
前記カバー（５０）が、フック状の前記上縁部（５１）を持つ本質的に平坦な輪郭すなわち本体から本質的に構成されることを特徴とする、請求項２に記載のカバー。
【請求項４】
前記カバー（５０）の中間部分が、縦の区画（５２）を備え、この区画（５２）が、少なくともひとつの鉄製プレート（５６）を収容し、保持し、前記鉄製プレート（５６）が、前記カバー（５０）の上昇位置において、前記摺動扉（２０、３０）の案内レール（４０）上に配置された少なくともひとつの磁石（４５）と共同するようにしたことを特徴とする、請求項２ないし３のいずれかひとつに記載のカバー。
【請求項５】
前記少なくともひとつの磁石（４５）を、前記案内レール（４０）の前面（４３）に設けた適当な長手方向の室（４４）内に配置し、前記鉄製プレート（５６）との整列状態によって、前記カバー（５０）を前記案内レール（４０）上の閉鎖位置または充分な持上げ位置に磁気吸引によって維持するように、前記磁石（４５）を位置させることを特徴とする、請求項４に記載のカバー。
【請求項６】
前記磁石（４５）と前記鉄製プレート（５６）とを、前記カバー（５０）と前記案内レール（４０）との間で逆にすることができ、また、交番極（ａｌｔｅｒｎａｔｅ  ｐｏｌｅｓ）を有する磁気要素同士によって置き換えることができることを特徴とする、請求項４または５のいずれかひとつに記載のカバー。
【請求項７】
前記戸棚（Ａ）の天井（１０）の上側表面と前縁部との間の縁部上に位置させることができる前記カバー（５０）の上昇位置を維持するように設けられた下側の肩部（５５）を備えたことを特徴とする、請求項１ないし６のいずれかひとつに記載のカバー。
【請求項８】
完全に持ち上げられた位置にある前記カバー（５０）を、既存の任意のタイプの機械的止め具によって前記案内レール（４０）に固定することができることを特徴とする、請求項１ないし７のいずれかひとつに記載のカバー。
【請求項９】
前記カバー（５０）を、前記摺動扉（２０、３０）と、前記案内レール（４０）との間に配置したことを特徴とする請求項１ないし８のいずれかひとつに記載のカバー。
【発明の詳細な説明】
【技術分野】
【０００１】
この発明は、戸棚収納部の上縁と、戸棚の摺動扉の支持搬送機構の摺動運動に使用する、戸棚収納部の上に横たわる案内レールとの間に配置することができる新しいタイプのカバーに関する。このカバーは、戸棚の有効高さに著しく影響することなく案内レールおよびその運動機構の存在を隠して戸棚の快適で美的な外観を確保し、同時に、扉の移動および支持機構の検査を可能にするように設計されている。
【背景技術】
【０００２】
この発明の主要な特徴は、この発明が、扉を移動させる摺動扉搬送機構の移動および支持案内レールと共に、カバーまたは形材を有し挿入を行うことであり、そのカバーは、戸棚の上側長さ全体に沿って取り付けられ、下げることができ、また、前記搬送機構が案内機構上に最終的に配置され設置されたときにのみ持ち上げることができる。カバーは、検査の必要性に合わせて下げることができる。カバーは、少なくとも１つの鉄製プレートを備え、そのプレートは、前記案内機構の適切な部分に予め配置されている少なくとも１つの磁石に位置を揃えられる。
【０００３】
従来、標準的戸棚の各摺動扉は、戸棚の底部にある案内レールに沿って摺動する下側ブラケットを有し、その扉の上縁に配置され同数の搬送機構に連結された２つの支持ブラケットによって支持され、その搬送機構は、軌道または案内レールに沿って移動することができ、その案内レールは、戸棚の上側水平パネルまたは上部パネルの外面に沿って堅固に配置されている。
【０００４】
また、戸棚の上部への案内レールおよび扉の上部へのブラケットの取付け、ならびに摺動扉搬送機構を挿入することにより、戸棚が置かれる部屋の天井と戸棚の上部との間に十分な空間を有する必要が生じ、それによって戸棚の有効高さが減少することもよく知られている。
【０００５】
正にこの理由のために、様々なタイプの家具の摺動扉案内機構は、戸棚が置かれる部屋の天井の高さに関して必要な空間に余分な影響を与えることなく摺動扉搬送機構を取り付けることができるように、また、最初の設置および長期にわたる日常の保全を可能にするために、高さが無いか、または可能な限り高さを減らした外面または可視面を有している。
【０００６】
この一般的に採用されている方法の結果として、摺動扉式戸棚が、扉移動および支持機構の一部がそこを通して見え、視覚的印象が著しく悪い非美的な上側空隙を有することになる。
【発明の概要】
【発明が解決しようとする課題】
【０００７】
本発明の目的は、扉移動および支持搬送機構の取り付けならびに正しい働きに必要な空間に著しく影響することなく、美観を損なう搬送機構およびその移動ならびに支持搬送機構を見えなくする摺動扉式戸棚を創り出すことである。
【０００８】
この目的の範囲内で、本発明の別の重要な目標は、扉案内レールならびに移動および支持搬送機構の検査での接近性および容易性を最大限に確保することである。
【０００９】
本発明の別の目的は、所望の美的効果を達成するために取り付けられた取外し可能なカバーの安定性および操作性を最大限に確保することである。
【課題を解決するための手段】
【００１０】
これらの目的は、この発明によって実際に成功裏に達成され、それは、扉が取り付けられる前に、摺動扉移動および支持案内レールと共に、戸棚収納部の長さ全体に沿って最初は低い位置にカバーまたは形材を創造し取り付けて、次いで、前記搬送機構が最終的にその案内レールに設置されたときにカバーを持ち上げることにおいて本質的に成り立っている。ここで、前記カバーの特定の場所に取り付けられたたとえば鉄製のプレートを用いることが行われ、そのプレートは、カバーを持ち上げる際に、案内レールの特定の位置に予め配置された少なくとも１つの磁石に位置を揃えられる。
【００１１】
提案された解決策および明記された目的の達成法の概要をよりよく理解するために、必ずしも完全なものではないが一構造形態に基づき、４つの図面の助けを借りて、以下により詳細な記述および例示が提供される。
【図面の簡単な説明】
【００１２】
【図１】上記のタイプの戸棚の上部であって、前記摺動扉式戸棚の主要な移動および支持要素が示され、新規性を有するカバーが下げ位置で示されている部分横断面図である。
【図２】図１のカバーの輪郭の横断面図である。
【図３】図２のカバーが中間の持上げ位置で示されている、図１に示された図と同様な横断面図である。
【図４】図２のカバーが持上げ位置で示されている、図１および図３に示された図と同様な横断面図である。
【発明を実施するための形態】
【００１３】
同一の細部は、全ての図において同一の参照番号によって示されるように表記されまたは意図されている。
【００１４】
添付図に示されている実施形態によれば、戸棚Ａの上側部分は、上側壁または天井１０および１対の摺動扉２０および３０から構成され、それら扉はブラケット２１および３１を用いて案内機構４０上に摺動的に支持され、それらブラケットにはそれぞれの搬送機構（図示せず）の搬送車輪２２および３２が取り付けられている。前記車輪２２および３２は、戸棚Ａの上部パネル１０のほぼ前縁に位置する前記案内レール４０の軌道４１および４２に取り付けられている。
【００１５】
前記案内レール４０の前面４３は、少なくとも１つの磁気バーまたは要素４５を収納するのに適した長手方向スロット４４を新規性をもって有する。
【００１６】
図１によれば、少なくとも本質的に平坦であり、好ましくは型材の形態の新規性を有するカバー５０が存在し、カバー５０は上側フック状縁部５１および中間区画５２ならびに下側区画５３を有する。区画５３は、可撓ブラシ５４を収納するのに適している。
【００１７】
隔室５３の外壁は、カバー５０の下側縁部と共に肩部５５を形成している。
【００１８】
カバー５０の中間隔室５２は、たとえば軽い締めしろによって所定位置に適切に保持される少なくとも１つの鉄製プレート５６を収納するように設計されている。
【００１９】
図１〜４に示されるいくつかの簡単なアセンブリ部品を上記に記述してきたが、明記された目的の達成に関連するそれらの明快なアセンブリおよび機能の要約が、以下に続く。
【００２０】
図１を参照し、以前に記述したように、摺動扉２０および３０が取り付けられる案内機構４０が、戸棚Ａの上部パネル１０の前縁に、戸棚Ａの長さ全体に沿って固定され、既存の方法による頭部閉鎖パネルは用いられない。
【００２１】
１対のブラケット２１が、通常、扉２０の上縁の両面に固定され、それらのそれぞれが同一の「Ｕ字」形であり、反対側が車輪２２に間接的に連結され、その車輪は案内機構４０の軌道または通路４１を受け入れるのに適した半径方向スロットを有する。
【００２２】
特に、車輪２２は、通常、上記のブラケット２１に間接的に固定され、すなわち、車輪２２は、関係ないので図示されていない調節装置にねじ止めされ、その装置またはその装置の搬送機構は扉２０の垂直方向位置決めに適し、それにより戸棚Ａ上での扉の移動の直線性を保証する。
【００２３】
同様に、やはり「Ｕ字」形の形状であるが、今度はブラケット２０に比較してより小さな寸法の１対のブラケット３１が、摺動扉３０の上縁の両面に固定され、ブラケット３１は、扉３０が固定されている側とは反対側に、案内レール４０の通路または軌道４２をその半径方向スロットに受け入れることができる１つの車輪３２を間接的に支持するように適合され、扉３０の位置を戸棚Ａ上のその軌道４２と比較して合わせることが同様に可能である。
【００２４】
扉３０をブラケット３１を用いて軌道４２に取り付けるには、搬送車輪３２が案内レール４０の前面４３の高さを乗り越えることができることが前提であり、したがって、前記扉３０は僅かに持ち上げられなくてはならず、それによって、車輪３２を軌道４２上に降ろすことができる。
【００２５】
同様に、扉２０を軌道４１に取り付けるには、ブラケットの車輪２２が案内レール４０の前面４３を乗り越えることが前提であり、したがって、扉２０を持ち上げてその車輪２２を案内レール４１上に降ろすことができるようにする必要がある。
【００２６】
特に、標準的方法によれば、外側ブラケット２１および扉２０を持ち上げるには、戸棚Ａを収納する部屋の天井に対してある程度の余裕が必要であり、事実上、それが戸棚Ａの最大有効高さを決定する。
【００２７】
しかしながら、新規性を有するカバー５０の存在が、実際に、必要な空間を増加させる結果にはならず、案内レール４０に取り付けられた可動部分を確実に隠す。
【００２８】
説明された構造上の解決策は、また、戸棚Ａの上部１０上の案内レール４０への扉２０および３０の組付け段階が適切な手順である必要がある。
【００２９】
添付の様々な図を参照すると、組立の第１段階では、案内レール４０の前面４３が上部パネル１０の前縁に対して僅かに内側に面するように、また、そのスロット４４に適切に取り付けられた少なくとも１つの磁気要素４５を有した状態で、案内レール４０を上部パネル１０の外面に堅固に固定しなければならないことが明らかである。
【００３０】
第２の段階では、カバー５０が前面４３によって支持されるように、カバー５０の上部フック５１を、案内レール４０の前面４３の上縁上に配置する。
【００３１】
引き続く段階では、軌道４１および４２上にそれらを配置することができるように、扉２０および３０の搬送車輪２２および３２に、下げられたカバー５０の縁５１を越えさせることによって、扉２０および３０を案内レール４０の軌道４１および４２に取り付ける。
【００３２】
その後の段階で、標準的方法によって、ブラケット２１および３１と、それぞれの搬送車輪２２および３２との間に挿入されているそれぞれの搬送機構に作用して、摺動扉２０および３０の高さおよび位置を調節することにより戸棚Ａ上でそれら扉がなし得る最良の動きを確保する。
【００３３】
最後の段階で、カバー５０を図３に示される中間位置に持ち上げた後、図４に示されるその最終持上げ位置に到達させる。
【００３４】
前述の図４に示されるように、鉄製プレート５６への磁石４５の吸引力によって、カバー５０がその最大位置に確実に達するようにし、扉２０ならびに３０の移動および支持機構を外から見えなくする。
【００３５】
カバー５０のこの持上げ位置では、その肩部５５が、上部パネル１０の縁部と上面との間の角上にそれ自体を配置するようになされており、磁石４５および鉄製プレート５６と共に、カバー５０が達成した持上げ位置の安定性に寄与する。
【００３６】
その後の、車輪２２および３２上の扉２０および３０に関する機構の各位置合わせのためには、肩部５５をずらし、カバー５０をそのフック状縁部５１が案内レール４０の上側４３の縁部に掛かるまで下方に引き下げることができるように磁石４５の力に打ち勝てば、当然十分である。
【００３７】
この簡単なカバー５０およびそれが垂直方向に容易に移動できることによって、美観を損なう扉２０および３０の移動および支持部品が隠され、また、なんらかの特定の目的に従いいつでもカバーを容易に調節することができるようになる。
【００３８】
すでに概説したように、図示され説明された組立上の解決策は、むろん、他の形態の組立を行うように変更することができる。
【００３９】
たとえば、反対の極性を有する２つの磁石を使用することを考えることが可能であるのと全く同様に、磁気プレート４５の位置と鉄製プレート５６の位置とを逆にすることが可能であることを指摘したい。
【００４０】
組立工程の変更に基づいて、磁石４５および鉄製プレート５６は、たとえば持上げ位置での取外し可能な固定ねじ、または固定式フック・ラチェットなどの機械的構成要素によって交換することができる。
【００４１】
これらおよび他の同様な修正形態または変更形態は、この発明の本来的な一部分として理解されるべきである。
【図１】
0005438517.tif 000002
【図２】
0005438517.tif 000003
【図３】
0005438517.tif 000004
【図４】
0005438517.tif 000005